(57)【特許請求の範囲】
【請求項１】
錠箱に内設され、シリンダー錠及びサムターンの連結ピース片を介して入力される操作力で回動される錠部材の構造であって、
内周に前記連結ピース片の係合する係合穴を有し外周面の中央部に回転規制凸部が突設され該回転規制凸部を挟む外周面の両側が軸部となるダルマコアと、
内側に形成された装着穴を前記ダルマコアの外周面の中央部に装着し相対回転が規制されて取り付けられるとともに、回動半径外側に向かって腕部が突設されるダルマプレートと、
バネ座を有して前記腕部に回動自在に連結されクリックバネの一端が前記バネ座に当接して外挿されるクリックバネガイドと、
を具備することを特徴とする錠部材の構造。
【請求項２】
請求項１記載の錠部材の構造であって、
前記ダルマコアの回転規制凸部の厚みと前記ダルマプレートの厚みが同一であることを特徴とする錠部材の構造。
【請求項３】
請求項１又は請求項２記載の錠部材の構造であって、
前記ダルマプレートは、同一形状の単体プレートを複数枚貼り合わせてなることを特徴とする錠部材の構造。
【請求項４】
請求項３記載の錠部材の構造であって、
前記ダルマプレートの前記腕部を貫通して加締められるかしめピンに、前記クリックバネガイドが回動自在に連結されることを特徴とする錠部材の構造。
【発明の詳細な説明】
【技術分野】
【０００１】
本発明は、シリンダー錠やサムターンから入力される操作力で回動される錠部材の構造に関する。
【背景技術】
【０００２】
錠装置は、錠箱に種々の錠部材を内設してなる。この錠部材の一つにシリンダー錠やサムターンからの回動操作力を内部の施解錠機構へ伝達するための所謂ダルマがある（例えば特許文献１参照）。従来、ダルマ５００は、図５に示すように、シリンダー錠側の連結ピース片（図示せず）が係合されるシリンダー錠側半割部材５０１と、サムターン側の連結ピース片（図示せず）が係合されるサムターン側半割部材５０３の２部材を貼り合わせて形成していた。
【０００３】
シリンダー錠側半割部材５０１及びサムターン側半割部材５０３は、本体部５０５ａ，５０７ａ、腕部５０５ｂ，５０７ｂを有するプレート５０５，５０７をプレス加工によりそれぞれ打ち抜き、さらに、本体部５０５ａ，５０７ａに円筒状の軸部５０５ｃ，５０７ｃを絞り加工して形成される。この際、軸部５０５ｃ，５０７ｃの底壁には連結ピース片の係合する係合穴５０５ｄ，５０７ｄが穿設される。このようにして形成されたシリンダー錠側半割部材５０１及びサムターン側半割部材５０３は、軸部５０５ｃ，５０７ｃが外側となるようにしてプレート面同士を貼り合わされる。つまり、係合穴５０５ｄ，５０７ｄは、向かい合って形成される内部の空洞部分を介して同一中心の穴となる。一体となったダルマ５００の腕部５０５ｂ，５０７ｂには、クリックバネガイド５０９が不図示のピンにて回動自在に連結される。
【０００４】
ダルマ５００は、軸部５０５ｃ，５０７ｃの外周面が、錠箱の両側板から張り出された軸受部の軸受穴（図示せず）に回動自在に挿入されて支持される。錠箱の両側にはシリンダー錠とサムターンが配置され、それぞれの連結ピース片が、軸部５０５ｃ，５０７ｃの係合穴５０５ｄ，５０７ｄに係合される。これにより、例えばシリンダー錠が合鍵によって操作されると、シリンダー錠の連結ピース片にてダルマ５００が回動され、例えば腕部５０５ｂ，５０７ｂがデッドボルト（図示せず）を押圧して、錠箱からのデッドボルトの進出及び後退を可能とした。
【先行技術文献】
【特許文献】
【０００５】
【特許文献１】特開２００１−２２７２１５号公報
【発明の概要】
【発明が解決しようとする課題】
【０００６】
しかしながら、上記した従来のダルマ５００は、絞り加工した軸部５０５ｃ，５０７ｃに、係合穴５０５ｄ，５０７ｄを穿設したシリンダー錠側半割部材５０１及びサムターン側半割部材５０３を貼り合わせていたため、プレス加工精度や組立精度によって、シリンダー錠側とサムターン側とで係合穴５０５ｄ，５０７ｄにずれの生じる虞、すなわち両係合穴５０５ｄ，５０７ｄの中心軸線が１つにならない、或いは両穴の位置が一致しない虞があった。また、貼り合わせ状況によってシリンダー錠側の係合穴５０５ｄとサムターン側の腕部５０７ｂ、或いはその逆のサムターン側の係合穴５０７ｄとシリンダー錠側の腕部５０５ｂにずれの生じる虞があった。このような表裏の係合穴５０５ｄ，５０７ｄ同士や係合穴５０５ｄ，５０７ｄと腕部５０５ｂ，５０７ｂとにずれが生じると、合鍵やサムターンの姿勢が例えば水平位置より傾斜したり、合鍵やサムターンの作動開始位置に誤差が生じたりして、操作、動作が不定となる虞があった。このような姿勢の不揃い、操作の不定は、錠装置の品質を低下させる要因となった。
【０００７】
本発明は上記状況に鑑みてなされたもので、係合穴両側の相対位置精度を高めることができるとともに、係合穴と腕部の相対位置精度を高めることができる錠部材の構造を提供し、もって、錠装置の品質向上を図り、その操作性の向上を図ることを目的とする。
【課題を解決するための手段】
【０００８】
次に、上記の課題を解決するための手段を、実施の形態に対応する図面を参照して説明する。
本発明の請求項１記載の錠部材の構造は、錠箱１１に内設され、シリンダー錠１３やサムターンの連結ピース片１５を介して入力される操作力で回動される錠部材１７の構造であって、
内周に前記連結ピース片１５の係合する係合穴１９を有し外周面の中央部２１に回転規制凸部２３が突設され該外周面の中央部２１を挟む外周面の両側が軸部２７となるダルマコア２９と、
内側に形成された装着穴３１を前記ダルマコア２９の外周面の中央部２１に装着し相対回転が規制されて取り付けられるとともに、回動半径外側に向かって腕部３３が突設されるダルマプレート３５と、
バネ座３７を有して前記腕部３３に回動自在に連結されクリックバネ３９の一端３９ａが前記バネ座３７に当接して外挿されるクリックバネガイド４１と、
を具備することを特徴とする。
【０００９】
この錠部材の構造では、一部品からなるダルマコア２９に係合穴１９が貫通して形成され、従来構造のように別体の２部品を合わせる構造に比べ、係合穴１９の両側穴開口の相対位置精度が高まる。また、ダルマコア２９の中央部２１に腕部３３を有したダルマプレート３５が嵌着されて一体となり、係合穴１９と腕部３３の相対位置精度も高まる。
【００１０】
請求項２記載の錠部材の構造は、請求項１記載の錠部材の構造であって、
前記ダルマコア２９の回転規制凸部２３の厚みと前記ダルマプレート３５の厚みが同一であることを特徴とする。
【００１１】
この錠部材の構造では、ダルマプレート３５の外周面における中央部２１に、回転規制凸部２３が突設され、この回転規制凸部２３を凹部３５ｂに係合させた状態でダルマプレート３５がダルマコア２９の外周面に嵌着される。この際、回転規制凸部２３の厚みとダルマプレート３５の厚みとが同一となることで、ダルマコア２９に対するダルマプレート３５の回転固定強度が大きくなる。また、回転規制凸部２３の側面とダルマプレート３５の側面とが同一面となり、厚み方向に段差が生じなくなり、ガタツキの発生が抑えられる。
【００１２】
請求項３記載の錠部材の構造は、請求項１又は請求項２記載の錠部材の構造であって、
前記ダルマプレート３５は、同一形状の単体プレート３５Ａを複数枚貼り合わせてなることを特徴とする。
【００１３】
この錠部材の構造では、回転規制凸部２３と同一厚のダルマプレート３５を一度のプレス加工で形成する場合に比べ、歪みの小さい高精度なプレス加工が行える。また、バリの発生も小さくなる。
【００１４】
請求項４記載の錠部材の構造は、請求項３記載の錠部材の構造であって、
前記ダルマプレート３５の前記腕部３３を貫通して加締められるかしめピン４５に、前記クリックバネガイド４１が回動自在に連結されることを特徴とする。
【００１５】
この錠部材の構造では、複数枚の単体プレート３５Ａが、積層方向に貫通するかしめピン４５によって挟持される。この際、かしめピン４５をクリックバネガイド４１に貫通しておく。かしめピン４５は、クリックバネガイド４１が回動自在となるようクリアランスを設けて加締める。これにより、単体プレート３５Ａを挟持するかしめピン４５が、腕部３３とクリックバネガイド４１の連結部材として兼用可能となる。
【発明の効果】
【００１６】
本発明に係る請求項１記載の構造によれば、連結ピース片の係合するダルマコアと、ダルマコアに取り付けられ腕部が突設されるダルマプレートと、腕部に回動自在に連結されクリックバネが外挿されるクリックバネガイドと、からなるので、係合穴両側の相対位置精度を高めることができるとともに、係合穴と腕部の相対位置精度を高めることができる。この結果、シリンダー錠とサムターンの操作角度や遊び量の差異をなくすことができ、錠装置の品質を向上させることができ、その操作性を向上させることができる。
【００１７】
請求項２記載の構造によれば、ダルマコアの回転規制凸部の厚みとダルマプレートの厚みが同一であるので、ダルマコアに対するダルマプレートの回転固定強度を大きくすることができる。また、厚み方向に段差のない形状とし、既存の錠部材と互換性を持たせることができ、ガタツキの発生が抑えられる。
【００１８】
請求項３記載の構造によれば、ダルマプレートが、同一形状の単体プレートを複数枚貼り合わせてなるので、歪みの小さい高精度なプレス加工が行え、バリの発生も小さくして、容易且つ安価に製造できる。
【００１９】
請求項４記載の構造によれば、ダルマプレート及び腕部を貫通して加締められるかしめピンに、クリックバネガイドが回動自在に連結されるので、複数枚のダルマプレートを挟持するためのかしめピンを、腕部とクリックバネガイドの連結部材に兼用でき、部品点数を少なくできる。
【図面の簡単な説明】
【００２０】
【図１】本発明に係る錠部材の構造が適用された錠箱の内部正面図である。
【図２】図１に示した錠箱の施錠状態を表す正面図である。
【図３】（ａ）はダルマプレートのみ断面Ａ−Ａで切り欠いた錠部材の側面図、（ｂ）は錠部材の正面図である。
【図４】錠部材を錠箱両側板の軸受部と共に表した分解斜視図である。
【図５】従来の錠部材の側面図である。
【発明を実施するための形態】
【００２１】
以下、本発明の実施の形態を図面を参照して説明する。
図１は本発明に係る錠部材の構造が適用された錠箱の内部正面図、図２は図１に示した錠箱の施錠状態を表す正面図である。
本発明に係る錠部材の構造は、施解錠装置（錠装置）１００の錠部材１７である所謂ダルマに好適に用いることができる。錠部材１７の構造の説明に先立ち、先ず錠部材１７の内設される錠装置１００の概略構成を説明する。錠装置１００は、金属からなる偏平四角箱状の錠箱１１にて外殻が形成される。錠箱１１の一側面には、扉４７の木口４９と平行となって固定ビス５１にて取り付けられる固定板５３が上下に延出して形成される。固定板５３は、その表面に木口４９と面一となって、固定ビス５５によって錠箱１１に固定されるフロント板５７によって覆われる。
【００２２】
図１には室内側から見た錠箱内部が表されている。図１の紙面背面側は室外側となり、錠箱１１の室外側にはシリンダー錠１３が取り付けられる。シリンダー錠１３は、錠箱１１の室外側壁５９ａに凹設されたシリンダー錠固定凹部６１ａ（図４参照）に後部が嵌合される。シリンダー錠固定凹部６１ａに後部が嵌合したシリンダー錠１３は、木口４９から挿入される固定ピン６３にて錠箱１１と固定される。
【００２３】
錠箱１１内にはデッドボルト６５が摺動自在に内設される。デッドボルト６５は、固定板５３及びフロント板５７の進退開口穴６７を介して木口４９から進退する。デッドボルト６５は、長穴６９を、錠箱１１に固定されたガイド軸７１に係合させて摺動自在に支持される。錠箱１１内のデッドボルト６５の上側にはカマデッドボルト７５が設けられ、カマデッドボルト７５は錠箱１１に固定された支軸７３にて回動自在となる。カマデッドボルト７５には曲溝７７が形成され、曲溝７７はデッドボルト６５に固定された連動ピン７９に係合する。これにより、カマデッドボルト７５は、デッドボルト６５の進出に従動し、図２に示すように、進退開口穴６７から円弧を描いて突出して、不図示のストライク板の背面に係止する。
【００２４】
錠箱１１内には、デッドボルト６５の下方にストッパ８１が設けられる。ストッパ８１は、基端８１ａが支軸８３に回動自在に支持され、付勢バネ８５によって図１の時計回りに付勢されている。ストッパ８１は、図２に示すデッドボルト６５が進出した状態で、先端８１ｂがデッドボルト６５の後部切欠８７に係止して、デッドボルト６５の後退を阻止するよう働く。
【００２５】
次に、錠部材１７について説明する。
錠箱１１内には、デッドボルト６５の上方に錠部材１７が回動自在に設けられる。錠部材１７は、シリンダー錠１３やサムターン（図示せず）の連結ピース片１５を介して入力される操作力で回動される。例えば図１に示す解錠状態において、シリンダー錠１３に挿入された合鍵（図示せず）が同図の時計回りに９０度回転されると、シリンダー錠１３の連結ピース片１５にて錠部材１７も９０度回転して図２に示す状態となる。
【００２６】
図３（ａ）はダルマプレートのみ断面Ａ−Ａで切り欠いた錠部材の側面図、（ｂ）は錠部材の正面図、図４は錠部材を錠箱両側板の軸受部と共に表した分解斜視図である。
錠部材１７は、ダルマコア２９と、ダルマプレート３５と、クリックバネガイド４１と、を具備してなる。ダルマコア２９は、内周に連結ピース片１５の係合する係合穴１９を有する。係合穴１９は、２つの扇形を点対称に配置した所謂ダルマ形状で形成される。扇形状の半径と平行な面１９ａが連結ピース片１５との接触面となる。したがって、面１９ａ，１９ａの間が連結ピース片１５の空転する遊び空間となる。これにより、例えば施錠完了状態から合鍵のみを９０度戻し回転して、鍵穴からの合鍵の抜き取りを可能としている。
【００２７】
ダルマコア２９は、筒形状の外周面の中央部２１に、半径方向外側に突出する三角凸部８９と、四角形状の回転規制凸部２３とが突設されている。これら三角凸部８９及び回転規制凸部２３を挟む外周面の両側は、円筒外周面の軸部２７，２７となる。ダルマコア２９は、亜鉛ダイキャストで形成される。プレス加工でなくダイキャスト品なので精度が得られる。特に、１部品であるため係合穴１９における表裏からの形状に誤差がなく、中心軸線が表裏を貫通して位置し、外周面についても軸部２７が１つの部材であることで安定した操作性が得られる。
【００２８】
ダルマコア２９は、軸部２７，２７にて錠箱１１に回動自在に支持される。軸部２７，２７は、図４に示す錠箱１１の室外側壁５９ａと、室内側壁５９ｂに形成された軸受穴９１ａ，９１ｂに挿入支持される。軸受穴９１ａ，９１ｂは、シリンダー錠固定凹部６１ａ、サムターン用凹部６１ｂの底板である軸受部９１，９１に穿設されている。
【００２９】
ダルマコア２９の外周には、ダルマプレート３５が嵌着される。ダルマプレート３５は、内側に形成された装着穴３１を、ダルマコア２９の外周面の中央部２１に装着し、相対回転が規制されて取り付けられる。相対回転は、三角凸部８９に三角凹部３５ａを嵌合するとともに、回転規制凸部２３に四角凹部３５ｂを嵌合して規制される。ダルマプレート３５には、回動半径外側に向かって腕部３３が突設される。この腕部３３は、先端３３ａが、デッドボルト６５の半円状に切り欠いた進退押圧凹部９３（図１，図２参照）と係合する。
【００３０】
ダルマコア２９の回転規制凸部２３の厚みと、ダルマプレート３５の厚みｔとは同一となる。錠部材１７では、ダルマプレート３５の外周面における中央部２１に、回転規制凸部２３が突設され、この回転規制凸部２３を四角凹部３５ｂに係合させた状態でダルマプレート３５がダルマコア２９の外周面に嵌着される。この際、回転規制凸部２３の厚みとダルマプレート３５の厚みｔとが同一となることで、ダルマコア２９に対するダルマプレート３５の回転固定強度が大きく確保される。また、図３（ａ）に示すように、回転規制凸部２３の側面とダルマプレート３５の側面とが同一面となり、厚み方向に段差が生じなくなりガタツキがない。
【００３１】
本実施の形態において、ダルマプレート３５は、同一形状の単体プレート３５Ａ，３５Ａを複数枚（図例では２枚）で積層構成される。ダルマプレート３５は、複数枚を積層することで、三角凸部８９や回転規制凸部２３と同一厚のダルマプレート３５を一度のプレス加工で形成する場合に比べ、歪みの小さい高精度なプレス加工が行える。また、バリの発生も小さくなる。さらに、１枚に比べ強度を向上させることができる。単体プレート３５Ａ，３５Ａは、腕部３３の貫通孔３３ｂに挿通されるかしめピン４５によって挟持される。
【００３２】
ダルマプレート３５の腕部３３には、クリックバネガイド４１が回動自在に連結される。クリックバネガイド４１は、腕部３３を貫通するかしめピン４５が、連結穴４１ａを貫通することで腕部３３に回動自在に連結される。複数枚の単体プレート３５Ａ，３５Ａをかしめピン４５によって挟持する際、かしめピン４５をクリックバネガイド４１の連結穴４１ａに貫通しておく。かしめピン４５は、クリックバネガイド４１が回動自在となるようクリアランスを設けて加締める。これにより、単体プレート３５Ａ，３５Ａを挟持するかしめピン４５が、腕部３３とクリックバネガイド４１の連結部材として兼用可能となっている。
【００３３】
クリックバネガイド４１は、杆状の上部に上記の連結穴４１ａを有し、その下方にバネ座３７を有する。クリックバネガイド４１の下方には図１に示すクリックバネ３９が外挿され、クリックバネ３９は一端３９ａがバネ座３７に当接する。クリックバネガイド４１の下端は、錠箱１１の室外側壁５９ａに回動自在に固定された回動軸９５に、直径方向で摺動自在に貫通する。クリックバネ３９は、一端がバネ座３７に当接し、他端が回動軸９５に当接している。錠部材１７が回動されると、バネ座３７と回動軸９５との間隔が拡縮し、クリックバネ３９が伸縮される。これにより、錠部材１７は、図１に示す解錠位置、又は図２に示す施錠位置の何れかに付勢配置されるようになっている。
【００３４】
また、バネ座３７にはストッパ解除杆９７が下方に延出されている。ストッパ解除杆９７は、図２に示す施錠状態の錠部材１７が、解錠方向（図２の反時計回り）に回転されると、下端でストッパ８１を押下し、ストッパ８１によるデッドボルト６５の後退規制を解除するように働く。
【００３５】
次に、上記構成を有する錠部材の構造の作用を説明する。
錠部材の構造では、連結ピース片１５が回転すると、ダルマコア２９の面１９ａが連結ピース片１５によって押圧され、ダルマコア２９と共にダルマプレート３５、すなわち、錠部材１７が回転する。錠部材１７が回転すると、腕部３３に連結されたクリックバネガイド４１が回動軸９５を貫通する方向に摺動する。クリックバネガイド４１が回動軸９５に対して摺動すると、外挿されたクリックバネ３９が圧縮される。
【００３６】
圧縮されたクリックバネ３９は、錠部材１７の回転位置が中立点を超えると復元力が回転方向に作用するようになる。したがって、錠部材１７は、クリックバネ３９からの付勢力を受けて回転終了位置へ保持される。つまり、解錠位置又は施錠位置のいずれかに付勢されて配置される。錠部材１７は、この回転により腕部３３がデッドボルト６５の進退押圧凹部９３を押圧し、施錠回転ではデッドボルト６５を進出させ、解錠回転ではデッドボルト６５を後退させる。
【００３７】
このように作動する錠部材１７では、一部品からなるダルマコア２９に係合穴１９が貫通して形成され、従来構造のように別体の２部品を貼り合わせる構造に比べ、係合穴１９の両側穴開口の相対位置精度が高まる。また、ダルマコア２９の中央部２１に腕部３３を有したダルマプレート３５が嵌着されて一体となるので、係合穴１９の左右開口と腕部３３との相対位置精度も高まる。
【００３８】
したがって、本実施の形態による錠部材１７の構造によれば、連結ピース片１５の係合するダルマコア２９と、ダルマコア２９に取り付けられ腕部３３が突設されるダルマプレート３５と、腕部３３に回動自在に連結されクリックバネ３９が外挿されるクリックバネガイド４１と、からなるので、係合穴１９両側の相対位置精度を高めることができるとともに、係合穴１９と腕部３３の相対位置精度を高めることができる。この結果、シリンダー錠とサムターンの操作角度や遊び量の差異をなくすことができ、錠装置１００の品質を向上させることができ、その操作性を向上させることができる。
【００３９】
また、ダルマコア２９の回転規制凸部２３の厚みとダルマプレート３５の厚みが同一であるので、ダルマコア２９に対するダルマプレート３５の回転固定強度を大きくすることができる。また、厚み方向に段差のない形状とし、既存の錠部材と互換性を持たせることができる。
【００４０】
また、ダルマプレート３５が、同一形状の単体プレート３５Ａを複数枚貼り合わせてなるので、歪みの小さい高精度なプレス加工が行え、バリの発生も小さくして、容易且つ安価に製造できる。
【００４１】
さらに、ダルマプレート３５及び腕部３３を貫通して加締められるかしめピン４５に、クリックバネガイド４１が回動自在に連結されるので、複数枚のダルマプレート３５を挟持するためのかしめピン４５を、腕部３３とクリックバネガイド４１の連結部材に兼用でき、部品点数を少なくできる。
【００４２】
また、クリアランスなどによるガタツキが生じているとしても、表裏（シリンダー錠側とサムターン側）で同じであり、操作性が同じになる。貼り合わせ構造に比べ、位置決めピンや位置決め孔を設ける必要がなくなることから、構造が簡単となり、製造を容易にし、且つ耐久性を高めることができる。
【００４３】
なお、上記実施の形態では、ダルマプレート３５が２枚の単体プレート３５Ａ，３５Ａからなる構成を例示したが、ダルマプレート３５は、１枚で形成してもよく、或いは２枚以上の複数枚の単体プレート３５Ａで構成してもよい。
【符号の説明】
【００４４】
１１…錠箱
１３…シリンダー錠
１５…連結ピース片
１７…錠部材
１９…係合穴
２１…外周面の中央部
２３…回転規制凸部
２７…軸部
２９…ダルマコア
３１…装着穴
３３…腕部
３５…ダルマプレート
３５Ａ…単体プレート
３７…バネ座
３９…クリックバネ
３９ａ…一端
４１…クリックバネガイド
４５…かしめピン
１００…錠装置
【図１】
0005390359.tif 000002
【図２】
0005390359.tif 000003
【図３】
0005390359.tif 000004
【図４】
0005390359.tif 000005
【図５】
0005390359.tif 000006